(57)【要約】【課題】ガスの最大出力の能力を落とすことなく、一種類の器具で壁側に能力の低いバーナを配置できるガスコンロを提供する。【解決手段】筐体２内には、右センサ７７Ａと左センサ７７Ｂが設けられる。ガスコンロ１のＣＰＵは、右センサ７７Ａ及び左センサ７７Ｂからの信号に基づき、右コンロ４及び左コンロ５のうち、キッチンの壁側に近い方のコンロを特定する。ＣＰＵは、右コンロ４及び左コンロ５の夫々の火力調節装置による火力調節可能範囲において、キッチンの壁側に近い方のコンロに対して、弱火力範囲を設定し、壁側とは反対側のコンロに対して強火力範囲を設定する。強火力範囲と弱火力範囲の夫々の最大出力の合計は、右コンロ４と左コンロ５によるガスの合計最大出力に設定される。それ故、ガスコンロ１は能力を落とすことなく、壁側のコンロの能力を低く設定できる。【選択図】図１
2019200009.tif 000002
【特許請求の範囲】
【請求項１】
器具の上面右側に設置される第一バーナと、
前記器具の上面左側に設置され、前記第一バーナと同一仕様の第二バーナと、
前記第一バーナへのガスの供給量を調節することによって、前記第一バーナの火力を調節する第一火力調節部と、
前記第二バーナへのガスの供給量を調節することによって、前記第二バーナの火力を調節する第二火力調節部と
を備え、
前記第一バーナと前記第二バーナによるガスの合計最大出力が予め決められたガスコンロにおいて、
前記第一火力調節部及び前記第二火力調節部によって調節可能な火力の調節可能範囲のうち強火力側に設定される第一範囲と、当該第一範囲と同一範囲で且つ弱火力側にシフトした第二範囲を備え、前記第一火力調節部及び前記第二火力調節部のうち何れか一方に対して前記第一範囲を設定し、他方に対して前記第二範囲を設定可能な設定部を備え、
前記第一範囲と前記第二範囲の夫々の最大出力の合計値は、前記合計最大出力に設定されていること
を特徴とするガスコンロ。
【請求項２】
前記調節可能範囲は、所定の段階数で振り分けられ、
前記第一範囲は、前記所定の段階数のうち、前記強火力側の段階を含む範囲であること
を特徴とする請求項１に記載のガスコンロ。
【請求項３】
前記第一バーナの火力の操作を受け付ける第一火力操作部と、
前記第二バーナの火力の操作を受け付ける第二火力操作部と
を備え、
前記第一火力調節部及び前記第二火力調節部の夫々は、
前記第一火力操作部及び前記第二火力操作部の夫々の前記操作に応じて駆動するモータを備え、
前記モータの駆動によって、対応する前記第一バーナ又は前記第二バーナへのガスの前記供給量を調節すること
を特徴とする請求項１又は２に記載のガスコンロ。
【請求項４】
前記設定部が設定する前記第一範囲及び前記第二範囲を手動で切り替え可能なスイッチを備えたこと
を特徴とする請求項１から３の何れかに記載のガスコンロ。
【請求項５】
前記設定部による設定が完了したことを入力する入力部と、
前記入力部による入力が有ったか否か判断する判断部と、
前記判断部によって前記入力が有ったと判断されるまで、前記第一バーナ及び前記第二バーナへの夫々の点火を制限、若しくは弱火力に制限する制限部と
を備えたこと
を特徴とする請求項１から４の何れかに記載のガスコンロ。
【請求項６】
所定距離の範囲内における障害物を検出するセンサを備え、
前記設定部は、
前記ガスコンロが設置された状態で、前記センサが前記ガスコンロから前記所定距離の範囲内にある前記ガスコンロの設置場所の壁を検出した場合に、前記第一バーナ及び前記第二バーナのうち前記壁側に近いバーナを特定する特定部を備え、
前記特定部が特定した前記バーナに対応する前記第一火力調節部又は前記第二火力調節部に対して前記第二範囲を設定し、前記特定部によって特定されなかった前記バーナに対応する前記第一火力調節部又は前記第二火力調節部に対して前記第一範囲を設定すること
を特徴とする請求項１から４の何れかに記載のガスコンロ。
【請求項７】
前記センサは、
前記器具の右側の障害物を検出する第一センサと、
前記器具の左側の障害物を検出する第二センサと
を備え、
前記特定部は、
前記第一センサが前記壁を検出した場合は、前記第一バーナを前記壁側に近い前記バーナとして特定し、
前記第二センサが前記壁を検出した場合は、前記第二バーナを前記壁側に近い前記バーナとして特定すること
を特徴とする請求項６に記載のガスコンロ。
【発明の詳細な説明】
【技術分野】
【０００１】
本発明は、ガスコンロに関する。
【背景技術】
【０００２】
ガスコンロをキッチンに設置する場合、設置場所によってはガスコンロの側方にキッチンの壁が存在する。そのため、火力が小さい方のガスバーナが右側に位置するガスコンロと左側に位置するガスコンロとの２種類のガスコンロを製造する必要があった。そこで、上面に少なくとも左右一対のガスバーナと、各ガスバーナの各々に一個ずつ接続され、ガスバーナへのガスの供給量を増減して火力を調節する火力調節部とを備えたガスコンロにおいて、上記一対のガスバーナと火力調節部とを相互に同一の仕様とし、両火力調節部の火力調節範囲の上限を最大火力より小さい所定の火力に規制する火力制限手段を設けて、いずれか一方の火力調節範囲の上限を規制して他方より火力の小さいガスバーナに設定し得るガスコンロが知られている（例えば、特許文献１参照）。
【先行技術文献】
【特許文献】
【０００３】
【特許文献１】特許第５１１２２６９号公報
【発明の概要】
【発明が解決しようとする課題】
【０００４】
ユーザはガスコンロ毎に表示されているガスの最大出力（能力）を目安にガスコンロを購入することがある。特許文献１に記載のガスコンロでは、一方のガスバーナの火力調節範囲の上限を最大火力より小さく規制するので、結果的にガスコンロの最大出力の能力を落としてしまうという問題点があった。
【０００５】
本発明の目的は、ガスの最大出力の能力を落とすことなく、一種類の器具で壁側に能力の低いバーナを配置できるガスコンロを提供することである。
【課題を解決するための手段】
【０００６】
請求項１のガスコンロは、器具の上面右側に設置される第一バーナと、前記器具の上面左側に設置され、前記第一バーナと同一仕様の第二バーナと、前記第一バーナへのガスの供給量を調節することによって、前記第一バーナの火力を調節する第一火力調節部と、前記第二バーナへのガスの供給量を調節することによって、前記第二バーナの火力を調節する第二火力調節部とを備え、前記第一バーナと前記第二バーナによるガスの合計最大出力が予め決められたガスコンロにおいて、前記第一火力調節部及び前記第二火力調節部によって調節可能な火力の調節可能範囲のうち強火力側に設定される第一範囲と、当該第一範囲と同一範囲で且つ弱火力側にシフトした第二範囲を備え、前記第一火力調節部及び前記第二火力調節部のうち何れか一方に対して前記第一範囲を設定し、他方に対して前記第二範囲を設定可能な設定部を備え、前記第一範囲と前記第二範囲の夫々の最大出力の合計値は、前記合計最大出力に設定されていることを特徴とする。
【０００７】
請求項２のガスコンロは、請求項１に記載の発明の構成に加え、前記調節可能範囲は、所定の段階数で振り分けられ、前記第一範囲は、前記所定の段階数のうち、前記強火力側の段階を含む範囲であるとよい。
【０００８】
請求項３のガスコンロは、請求項１又は２に記載の発明の構成に加え、前記第一バーナの火力の操作を受け付ける第一火力操作部と、前記第二バーナの火力の操作を受け付ける第二火力操作部とを備え、前記第一火力調節部及び前記第二火力調節部の夫々は、前記第一火力操作部及び前記第二火力操作部の夫々の前記操作に応じて駆動するモータを備え、前記モータの駆動によって、対応する前記第一バーナ又は前記第二バーナへのガスの前記供給量を調節するとよい。
【０００９】
請求項４のガスコンロは、請求項１から３の何れかに記載の発明の構成に加え、前記設定部が設定する前記第一範囲及び前記第二範囲を手動で切り替え可能なスイッチを備えるとよい。
【００１０】
請求項５のガスコンロは、請求項１から４の何れかに記載の発明の構成に加え、前記設定部による設定が完了したことを入力する入力部と、前記入力部による入力が有ったか否か判断する判断部と、前記判断部によって前記入力が有ったと判断されるまで、前記第一バーナ及び前記第二バーナへの夫々の点火を制限、若しくは弱火力に制限する制限部とを備えるとよい。
【００１１】
請求項６のガスコンロは、請求項１から４の何れかに記載の発明の構成に加え、所定距離の範囲内における障害物を検出するセンサを備え、前記設定部は、前記ガスコンロが設置された状態で、前記センサが前記ガスコンロから前記所定距離の範囲内にある前記ガスコンロの設置場所の壁を検出した場合に、前記第一バーナ及び前記第二バーナのうち前記壁側に近いバーナを特定する特定部を備え、前記特定部が特定した前記バーナに対応する前記第一火力調節部又は前記第二火力調節部に対して前記第二範囲を設定し、前記特定部によって特定されなかった前記バーナに対応する前記第一火力調節部又は前記第二火力調節部に対して前記第一範囲を設定するとよい。
【００１２】
請求項７のガスコンロは、請求項６に記載の発明の構成に加え、前記センサは、前記器具の右側の障害物を検出する第一センサと、前記器具の左側の障害物を検出する第二センサとを備え、前記特定部は、前記第一センサが前記壁を検出した場合は、前記第一バーナを前記壁側に近い前記バーナとして特定し、前記第二センサが前記壁を検出した場合は、前記第二バーナを前記壁側に近い前記バーナとして特定するとよい。
【発明の効果】
【００１３】
請求項１のガスコンロによれば、第一火力調節部及び第二火力調節部の夫々の火力の調節可能範囲について、何れか一方を第一範囲、他方を第二範囲に設定できる。例えば器具の右側にキッチンの壁が存在する場合は、第一バーナの火力を調節する第一火力調節部に対して第二範囲を設定すればよい。この場合、第二火力調節部に対して第一範囲が設定される。ここで、第一範囲と第二範囲の夫々の最大出力の合計は、ガスコンロに予め決められた合計最大出力に設定されているので、ガスコンロの能力を落とすことなく、第一バーナの能力を低く設定できると共に、第一範囲と同一範囲で火力を調節できる。これにより、加熱され易い壁側への配慮が出来る。また、ガスコンロを設置する場所に応じて壁が器具の左右のどちらに来るか分からなくても、設定部で、第一火力調節部及び第二火力調節部の何れか一方に第二範囲を設定できるので、１種類の器具で壁側のバーナの能力を低くできる。これにより、器具の種類を増やす必要が無いので、出荷するガスコンロの管理が容易となる上、設置場所を選ぶ必要も無いので使い勝手の良いガスコンロを提供できる。
【００１４】
請求項２のガスコンロによれば、請求項１に記載の発明の効果に加え、調節可能範囲が所定の段階数で振り分けられているので、第一範囲及び第二範囲を設定し易い。
【００１５】
請求項３のガスコンロによれば、請求項１又は２に記載の発明の効果に加え、第一火力調節部及び第二火力調節部は、モータ駆動式であるので、第一火力操作部及び第二火力操作部の夫々の操作に精度良く連動させることができる。
【００１６】
請求項４のガスコンロによれば、請求項１から３の何れかに記載の発明の効果に加え、第一範囲及び第二範囲のうち何れか一つを手動で切り替え可能なスイッチを備えているので、設定部は、器具を設置する設置場所に応じて、壁側に近いガスバーナの火力調節範囲を第二範囲に設定できる。
【００１７】
請求項５のガスコンロによれば、請求項１から４の何れかに記載の発明の効果に加え、コンロ設置業者がガスコンロを設置した際に、仮に設定部による設定を忘れてしまった場合でも、ガスコンロは、第一ガスバーナ及び第二ガスバーナへの夫々の点火を制限、若しくは弱火力に制限するので、安全性の高いガスコンロを提供できる。また、このような制限をすることで、設定部による設定が完了していないことが分かるので、設定部による設定を行うことができる。
【００１８】
請求項６のガスコンロによれば、請求項１から４の何れかに記載の発明の効果に加え、センサによって第一ガスバーナ及び第二ガスバーナのうち壁側のガスバーナを特定し、その特定されたガスバーナに対応する第一火力調節部又は第二火力調節部に対して第二範囲を自動的に設定できる。これにより、安全性が高く使い勝手の良いガスコンロを提供できる。
【００１９】
請求項７のガスコンロによれば、請求項６に記載の発明の効果に加え、第一センサと第二センサを用いて設置場所の壁が左右どちらにあるかを正確に検出できる。
【図面の簡単な説明】
【００２０】
【図１】ガスコンロ１の全体斜視図である。
【図２】図１に示すＩ−Ｉ線矢視方向断面図である。
【図３】ガスコンロ１の電気的構成を示すブロック図である。
【図４】火力設定位置とガス消費量の関係を示すグラフである。
【図５】コンロ火力設定処理のフローチャートである。
【図６】壁検出処理のフローチャートである。
【図７】火力調節範囲設定処理のフローチャートである。
【図８】点火制御処理のフローチャートである。
【図９】第二実施形態におけるガスコンロ１００の電気的構成を示すブロック図である。
【図１０】第二実施形態における火力調節範囲設定処理のフローチャートである。
【発明を実施するための形態】
【００２１】
以下、本発明の第一、第二実施形態を説明する。以下に記載されている装置の構造、フローチャートなどは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する
【００２２】
−第一実施形態−
図１，図２を参照し、ガスコンロ１の構造を説明する。図１に示すように、ガスコンロ１は、ビルトインコンロである。ガスコンロ１は筐体２と天板３を備える。筐体２の上部に、天板３が設置される。なお、筐体２と天板３を合わせたガスコンロ１が本発明の「器具」に相当する。天板３において、右側には右コンロバーナ４、左側には左コンロバーナ５が設けられる。右コンロバーナ４と左コンロバーナ５は互いに同一仕様である。右コンロバーナ４及び左コンロバーナ５の夫々の中央部には、鍋底に当接可能なセンサ組立２０が設けられる。センサ組立２０は上下方向に出退可能に設けられ、サーミスタ４０（図３参照）を格納する。サーミスタ４０はセンサ組立２０を介して調理鍋の温度を検出する。右コンロバーナ４及び左コンロバーナ５の夫々の近傍には、失火を検出する為の熱電対５０（図３参照）、点火する為のイグナイタ６０（図３参照）が設けられる。天板３の後方部には、ガスコンロ１内に設置されたグリル庫（図示略）の排気口７が設けられる。
【００２３】
天板３の上面において、右前角部近傍には窓部３１が設けられ、左前角部には、窓部３２が設けられる。窓部３１，３２は円形状に形成された透明な領域であり、上方から見た場合に天板３下方を透過する。窓部３１の下方には、筐体２内部の上部右側に支持された右センサ７７Ａが配置される。窓部３２の下方には、筐体２内部の上部左側に支持された左センサ７７Ｂが配置される。右センサ７７Ａ及び左センサ７７Ｂは光センサであり、送信部から送信した検出波が異物で反射した反射波を受信部で受信し、三角測距方式を応用して異物までの距離を測定する測距センサである。右センサ７７Ａ及び左センサ７７Ｂは、測定した異物までの距離を距離信号として、後述するセンサ入力回路８７(図３参照）に向けて出力する。
【００２４】
図２に示すように、右センサ７７Ａは、窓部３１を介して天板３の右斜め上方へ向けて検出波を出力し、ガスコンロ１の右側にキッチンの壁が配置されたときの壁の検出を行う。左センサ７７Ｂは、窓部３２を介して天板３の左斜め上方へ向けて検出波を出力し、ガスコンロ１の左側にキッチンの壁が配置されたときの壁の検出を行う。図２に示す例では、ガスコンロ１の左側にキッチンの壁１０が位置する。この場合、左センサ７７Ｂは、ガスコンロ１の左側の所定距離の範囲内に位置する壁１０を検出する。
【００２５】
図１に示すように、ガスコンロ１の前面の略中央には、グリル扉８が設けられる。グリル扉８は手前側に移動可能に支持され、ガスコンロ１内部に設けられるグリル庫（図示略）の前側の開口部を開閉する。グリル庫内には、グリルバーナ（図示略）が設けられる。グリルバーナの近傍にも、熱電対５０とイグナイタ６０が設けられる。グリル扉８の右側の領域には、右側から左側に向かって順に、正面視円形状の操作ボタン１１，１２が横一列に並んで設けられる。操作ボタン１１の直上には、電源ボタン２５が設けられる。グリル扉８の左側の領域には、操作ボタン１１，１２と同一高さ位置に、同一円形状の操作ボタン１３が設けられる。
【００２６】
操作ボタン１１は右コンロバーナ４、操作ボタン１２はグリルバーナ、操作ボタン１３は左コンロバーナ５を、点火及び消火する為に押下される。操作ボタン１１〜１３は、対応するバーナの消火時、ガスコンロ１の前面とほぼ面一の状態である（図１参照）。点火の為に押下されると、後述する制御回路７０によって、対応するバーナへの点火処理が実行され、公知のプッシュ・プッシュ機構（図示略）によって、操作ボタン１１〜１３は、ガスコンロ１前面から前方に向けて略円柱状に突出し、該突出した状態で回動操作が可能となる。操作ボタン１１〜１３を回動操作すると、制御回路７０によって、回動操作量に応じたガス量になるように、対応するバーナへのガス供給量が調整される。
【００２７】
ガスコンロ１の内部には、３つのガス量調節装置３０（図３参照）が設けられる。ガス量調節装置３０は、対応する右コンロバーナ４、左コンロバーナ５、及びグリルバーナへのガス供給量を調整する。ガス量調節装置３０は、弁機構部３６とモータ３７を備える。弁機構部３６は、例えばガス流路を流れるガス量を調整するニードル弁や電磁弁等の各種弁を備える。モータ３７は弁機構部３６の弁を駆動し、ガス流路を流れるガス流量が調整される。モータ３７の駆動は、制御回路７０によって制御される。
【００２８】
操作ボタン１１〜１３を押し込んで手前に突出させると、制御回路７０は、ガス量調節装置３０のモータ３７に通電する。これにより、弁機構部３６が駆動され、ガス流路が開放されることで、対応するバーナにガスが供給される。これと同時に、制御回路７０は、対応するイグナイタ６０を作動させることにより、対応するバーナに点火する。そして、操作ボタン１１〜１３の回転方向と回転角度に応じて、制御回路７０は、モータ３７を正逆方向に回転し、弁機構部３６における弁の開度を調節する。これにより、ガス流路を流れるガス量が調節されることで、対応するバーナの火力が調節される。また、操作ボタン１１〜１３をガスコンロ１内部に押し込んで収容させると、制御回路７０は、モータ３７を逆回転させる。これにより、弁機構部３６の弁は逆向きに駆動され、ガス流路が閉じられることで、対応するバーナへのガスの供給が遮断される。なお、本実施形態は、説明の便宜上、右コンロバーナ４、左コンロバーナ５、グリルバーナを夫々、右コンロ４、左コンロ５、グリルと呼ぶことがある。
【００２９】
図３を参照し、ガスコンロ１の電気的構成を説明する。以下説明において、右コンロバーナ４、左コンロバーナ５、グリルバーナは、夫々、右コンロ４、左コンロ５、グリルと呼ぶ。ガスコンロ１は、制御回路７０を備える。制御回路７０は、ＣＰＵ７１、ＲＯＭ７２、ＲＡＭ７３、不揮発性メモリ７４等を備える。ＣＰＵ７１は、ガスコンロ１の各種動作を統括制御する。ＲＯＭ７２は、例えば、コンロ火力設定プログラムを含む各種プログラム等を記憶する。コンロ火力調設定プログラムは、後述するコンロ火力設定処理（図５参照）を実行するものである。ＲＡＭ７３は、各種情報を一時的に記憶する。不揮発性メモリ７４は、右側壁フラグ、左側壁フラグ、制限フラグ等のフラグ情報、後述するバーナ火力情報、コンロ火力設定情報等を記憶する。右側壁フラグは、右センサ７７Ａがガスコンロ１の右側の所定距離の範囲内にキッチンの壁を検出したときは１、壁を検出しないときは０が設定される。左側壁フラグは、左センサ７７Ｂがガスコンロ１の左側の所定距離の範囲内にキッチンの壁を検出したときは１、壁を検出しないときは０が設定される。制限フラグは、操作ボタン１１〜１３の押下に応じて、対応するバーナの点火を許可するときは０、点火を制限するときは１が設定される。
【００３０】
制御回路７０には、電源回路８１、サーミスタ入力回路８２、熱電対入力回路８３、イグナイタ回路８４、操作パネル２４、モータ制御回路８５、センサ入力回路８７、ブザー回路８８、センサ１９等が電気的に各々接続されている。使用者によって電源ボタン２５が押下されると、電源回路８１は、電源２３から供給される交流（例えば１００Ｖ）を直流（例えば５Ｖ）に降圧して整流し、各種回路に電力を供給する。故にガスコンロ１の電源はオンする。使用者によって電源ボタン２５が再押下されると、電源回路８１は、各種回路への電力供給を遮断する。故にガスコンロ１の電源はオフする。
【００３１】
サーミスタ入力回路８２は、各バーナに設けられたセンサ組立２０に格納するサーミスタ４０からの検出信号を、制御回路７０に入力する。熱電対入力回路８３は、熱電対５０からの検出値（熱起電力に対応する信号）を、制御回路７０に入力する。イグナイタ回路８４は、ＣＰＵ７１からの制御信号に基づき、対応するバーナのイグナイタ６０を駆動する。操作パネル２４は、ガスコンロ１の前面パネルの右下部分に収容され、該部分を押し込むことによって手前側に引き出される。操作パネル２４は、使用者によるタイマ設定、調理メニューに応じた火力制御の選択等の入力等を受け付け、該入力信号を制御回路７０に入力する。なお、後述するが、本実施形態の操作パネル２４は、図５のコンロ火力設定処理を実行させる為の所定操作も受け付け可能である。モータ制御回路８５は、ＣＰＵ７１からの制御信号に基づき、３つのガス量調節装置３０のモータ３７の駆動を夫々制御する。
【００３２】
センサ入力回路８７は、右センサ７７Ａ及び左センサ７７Ｂからの検出信号を、制御回路７０に入力する。ブザー回路８８は、ＣＰＵ７１の制御信号に基づき、圧電ブザー７８を駆動する。センサ１９は、操作ボタン１１〜１３の夫々に設けられ、操作ボタン１１〜１３の回転方向と回転角度を検出し、該検出信号を制御回路７０に入力する。ＣＰＵ７１は、センサ１９からの検出信号に基づき、操作ボタン１１〜１３の回転方向と回転角度に対応するように、モータ３７の出力軸を回転させ、弁機構部３６を駆動させる。これにより、ガス流路を流れるガス量が調節され、対応するバーナの火力が調節される。
【００３３】
ガス量調節装置３０には、ポジションメータ３５が設けられる。ポジションメータ３５は、モータ３７の出力軸の回転角度を検出し、該検出信号を制御回路７０に入力する。ＣＰＵ７１は、ポジションメータ３５からの検出信号に基づき、モータ３７の出力軸の回転角度を認識する。ＣＰＵ７１は認識したモータ３７の出力軸の回転角度と、後述するバーナ火力情報とに基づき、対応するバーナ火力を特定できる。なお、ガスコンロ１は、外部装置と無線又は有線で通信可能な通信部を備えてもよい。その場合、ガスコンロ１は通信部を介して、外部装置から種々のプログラムやデータを受け取ることができ、例えば、制御内容を更新できる。
【００３４】
図４を参照し、ガス量調節装置３０における火力調節可能範囲と、右コンロ４及び左コンロ５に夫々設定される火力調節範囲について説明する。火力調節可能範囲とは、ガス量調節装置３０において、対応するバーナ火力を調節可能な範囲を意味する。火力調節範囲とは、火力調節可能範囲のうち、右コンロ４及び左コンロ５において調節可能なバーナ火力の範囲を意味する。右コンロ４及び左コンロ５の夫々のガス量調節装置３０において、火力調節可能範囲は１〜６の６段階に振り分けられる。１〜６は、特定の火力を設定できる火力設定位置である。そのうち、２〜６の範囲は強火力範囲、１〜５の範囲は弱火力範囲に設定される。強火力範囲及び弱火力範囲は、右コンロ４及び左コンロに夫々設定される火力調節範囲である。
【００３５】
ガス量調節装置３０において、強火力範囲及び弱火力範囲の夫々の段階に対して、モータ３７の回転角度が割り当てられる。これにより、ＣＰＵ７１は、モータ３７の出力軸の回転角度に基づき、対応するバーナ火力を特定できる。ガスコンロ１では、モータ３７の出力軸の回転角度とバーナ火力とを対応づけた情報を、バーナ火力情報として不揮発性メモリ７４に記憶する。ガスコンロ１の最大出力は予め設定されており、右コンロ４及び左コンロ５のうち何れか一方が強火力範囲に設定されたとき、他方は弱火力範囲に設定される。なお、右コンロ４及び左コンロ５に対して、強火力範囲及び弱火力範囲の何れの火力調節範囲が設定されるかは、後述するコンロ火力設定処理において決定される。
【００３６】
図５〜図７を参照し、コンロ火力設定処理について説明する。設置業者がキッチンのカウンタトップにガスコンロ１を設置する際、例えば電源ボタン２５でガスコンロ１を起動させ、操作パネル２４において所定操作を実行したとき、ＣＰＵ７１はＲＯＭ７２からコンロ火力設定プログラムを読出し、本処理を実行する。
【００３７】
図５に示すように、ＣＰＵ７１は初期処理を実行する（Ｓ１）。初期処理の中で、ＣＰＵ７１は、例えば右側壁フラグを０、左側壁フラグを１に設定する。つまり、本実施形態では、ガスコンロ１の左側にキッチンの壁１０が検出された状態（図２参照）をデフォルトとする。さらに、ＣＰＵ７１は初期処理の中で、制限フラグを１に設定する。
【００３８】
次いで、ＣＰＵ７１は壁検出処理を実行する（Ｓ２）。壁検出処理は、キッチンのカウンタトップに設置されたガスコンロ１の周囲において、キッチンの壁を検出する処理である。本処理の具体的な処理については後述する。次いで、ＣＰＵ７１は、火力調節範囲設定処理を実行する（Ｓ３）。火力調節範囲設定処理は、壁検出処理で検出されたキッチンの壁の位置に基づき、右コンロ４及び左コンロ５の夫々の火力調節範囲を設定する処理である。本処理の具体的な処理については後述する。このようにして、ＣＰＵ７１は、コンロ火力設定処理を終了する。
【００３９】
図６を参照し、壁検出処理について説明する。ＣＰＵ７１は、右センサ７７Ａからセンサ入力回路８７を介して距離信号を取得する（Ｓ１１）。ＣＰＵ７１は、例えば所定回数（例えば４回）、右センサ７７Ａから距離信号を取得するとよい。ＣＰＵ７１は、取得した所定数の距離信号から距離の判別が不能か否か判断する（Ｓ１２）。例えば、取得した所定数の距離信号に対応する距離の最大値と最小値の差が閾値以上である場合、ＣＰＵ７１は距離信号のバラツキが大とみなし、距離の判別は不能と判断するとよい。最大値と最小値の差が閾値未満である場合、距離信号のバラツキは小とみなし、距離の判別は可能と判断するとよい。距離の判別が不能と判断した場合（Ｓ１２：ＹＥＳ）、ＣＰＵ７１はガスコンロ１の右側には壁が無いと判断し、右側壁フラグを０に設定する（Ｓ１６）。
【００４０】
一方、距離の判別が可能と判断した場合（Ｓ１２：ＮＯ）、ＣＰＵ７１は、取得した所定数の距離の平均値を算出し、異物（壁）までの距離を特定する（Ｓ１３）。ＣＰＵ７１は、特定した距離が所定距離以下か否か判断する（Ｓ１４）。特定した距離が所定距離よりも大きい場合（Ｓ１４：ＮＯ）、ガスコンロ１の右側の所定距離の範囲内には壁が無いと判断し、右側壁フラグを０に設定する（Ｓ１６）。これとは逆に、特定した距離が所定距離以下の場合（Ｓ１４：ＹＥＳ）、ガスコンロ１の右側に壁が位置するので、ＣＰＵ７１は右側壁フラグを１に設定する（Ｓ１５）。
【００４１】
次に、ＣＰＵ７１は、右センサ７７Ａと同様に、左センサ７７Ｂからセンサ入力回路８７を介して距離信号を取得する（Ｓ１８）。ＣＰＵ７１は、例えば所定回数（例えば４回）、左センサ７７Ｂから距離信号を取得するとよい。ＣＰＵ７１は、取得した所定数の距離信号から距離の判別が不能か否か判断する（Ｓ１９）。距離の判別可否の判断方法は、上記の通りである。距離の判別が不能と判断した場合（Ｓ１９：ＹＥＳ）、ＣＰＵ７１はガスコンロ１の左側には壁が無いと判断し、左側壁フラグを０に設定する（Ｓ２３）。
【００４２】
一方、距離の判別が可能と判断した場合（Ｓ１９：ＮＯ）、ＣＰＵ７１は、取得した所定数の距離の平均値を算出し、異物（壁）までの距離を特定する（Ｓ２０）。ＣＰＵ７１は、特定した距離が所定距離以下か否か判断する（Ｓ２１）。特定した距離が所定距離よりも大きい場合（Ｓ２１：ＮＯ）、ガスコンロ１の左側には壁が無いと判断し、左側壁フラグを０に設定する（Ｓ２３）。これとは逆に、特定した距離が所定距離以下の場合（Ｓ２１：ＹＥＳ）、ガスコンロ１の左側に壁が位置するので、ＣＰＵ７１は左側壁フラグを１に設定する（Ｓ２２）。このようにして、ＣＰＵ７１は本処理を終了し、図５のＳ３に処理を進める。
【００４３】
図７を参照し、火力調節範囲設定処理について説明する。本処理は、壁検出処理で検出されたキッチンの設置場所の壁の位置に基づき、右コンロ４及び左コンロ５の夫々の火力調節範囲を設定する処理である。本実施形態は、（１）〜（４）の４つの例を挙げて説明する。
（１）ガスコンロ１の右側に壁が位置する場合
ＣＰＵ７１は、右側壁フラグが１か否か判断する（Ｓ３１）。右側壁フラグが１である場合（Ｓ３１：ＹＥＳ）、ＣＰＵ７１は左側壁フラグが０か否か判断する（Ｓ３２）。左壁フラグが０である場合（Ｓ３２：ＹＥＳ）、ガスコンロ１の右側にキッチンの壁が位置し、左側にはキッチンの壁が位置しない。よって、ＣＰＵ７１は、右コンロ４を壁側に近いコンロと特定し、右コンロ４に対して弱火力範囲を設定し、左コンロ５に対して強火力範囲を設定する（Ｓ３３）。これにより、右コンロ４では、１〜５の弱火力範囲の各火力設定位置でバーナ火力を設定可能となり、左コンロ５では、２〜６の強火力範囲の各火力設定位置でバーナ火力を設定可能となる。
【００４４】
（２）ガスコンロ１の左側に壁が位置する場合
右側壁フラグが０である場合（Ｓ３１：ＮＯ）、ＣＰＵ７１は、左側壁フラグが１か否か判断する（Ｓ３５）。左側壁フラグが１である場合（Ｓ３５：ＹＥＳ）、ガスコンロ１の左側にキッチンの壁が位置し、右側にはキッチンの壁が位置しない。よって、ＣＰＵ７１は、左コンロ５を壁側に近いコンロと特定し、左コンロ５に対して弱火力範囲を設定し、右コンロ４に対して強火力範囲を設定する（Ｓ３６）。これにより、右コンロ４では、２〜６の強火力範囲の各火力設定位置でバーナ火力を設定可能となり、左コンロ５では、１〜５の弱火力範囲の各火力設定位置でバーナ火力を設定可能となる。これにより、上記（１）と（２）の場面においては、ガスコンロ１の最大出力を落とすことなく、一種類のガスコンロ１にて壁側に能力の低いコンロを配置できる。
【００４５】
（３）ガスコンロ１の左右両側に一対の壁が位置する場合
右側壁フラグ及び左側壁フラグの何れも１である場合（Ｓ３１：ＹＥＳ、Ｓ３２：ＮＯ）、ガスコンロ１の左右両側に壁が夫々位置する。つまり、ガスコンロ１は、左右両側の一対の壁の間に挟まれた状態で設置されている。そこで、ＣＰＵ７１は、右コンロ４及び左コンロ５の何れにも弱火力範囲を設定する（Ｓ３４）。この場合、ガスコンロ１の最大出力の能力は落ちるが、右コンロ４及び左コンロ５の何れもが壁に近いことから、右コンロ４及び左コンロ５の両方に対して弱火力範囲を設定することで、安全性を向上できる。
（４）ガスコンロ１の左右両側の何れにも壁が位置しない場合
右側壁フラグ及び左側壁フラグの何れも０である場合（Ｓ３１：ＮＯ、Ｓ３５：ＮＯ）、ガスコンロ１の左右両側には壁が存在せず、例えば、アイランド型キッチン等がこれに該当する。この場合、ＣＰＵ７１はデフォルト設定にする（Ｓ３７）。デフォルト設定として、例えば、右コンロ４に対して強火力範囲、左コンロ５に対して弱火力範囲を設定してもよい。これにより、ガスコンロ１は（４）の場面にも、柔軟に対応できる。
【００４６】
なお、右コンロ４及び左コンロ５に夫々設定された火力調節範囲の情報は、コンロ火力設定情報として、不揮発性メモリ７４に記憶する。ＣＰＵ７１は、右コンロ４及び左コンロ５の夫々の火力調節範囲の設定を完了したので、制限フラグを０に設定する（Ｓ３８）。このようにして、ＣＰＵ７１は本処理を終了し、図５のコンロ火力設定処理を終了する。
【００４７】
図８を参照し、点火制御処理について説明する。設置業者は、ガスコンロ１が正常に動作することを確認する為、右コンロ４又は左コンロ５の点火を試みる。設置業者は、例えば右コンロ４を点火させる為に、操作ボタン１１を押下した場合、ＣＰＵ７１はＲＯＭ７２から点火制御プログラムを読出し、本処理を実行する。ＣＰＵ７１は、不揮発性メモリ７４に記憶する制限フラグが０か否か判断する（Ｓ４１）。制限フラグ＝１の場合（Ｓ４１：ＮＯ）、ガスコンロ１の設置時において、コンロ火力設定処理が実行されていない、若しくは正常に実行されておらず、右コンロ４及び左コンロ５の夫々の火力調節範囲が設定されていない可能性が高い。そこで、ＣＰＵ７１は対応する右コンロ４を点火せずに、操作パネル２４の表示部においてエラー表示を行う（Ｓ４６）。エラー表示を見た設置業者は、コンロ火力設定処理が実行されていない、若しくは正常に実行されていないことに気付くことが出来るので、再度、コンロ火力設定処理を実行させることができる。
【００４８】
一方、制限フラグ＝０の場合（Ｓ４１：ＹＥＳ）、右コンロ４及び左コンロ５の夫々の火力調節範囲の設定は既に完了しているので、ＣＰＵ７１は、右コンロ４のガス供給管に設けた安全弁（図示略）、ガス量調節装置３０の弁機構部３６の弁を開き、ガスを供給すると共に、押下された操作ボタン１１に対応する右コンロ４のイグナイタ６０を作動させることによって、右コンロ４に点火する（Ｓ４２）。ＣＰＵ７１は、右コンロ４の燃焼制御を開始する（Ｓ４３）。右コンロ４は、操作ボタン１１の回動操作によって、設定された火力調節範囲内でバーナ火力を５段階で調節可能である。設置業者は、壁側のコンロに対して弱火力範囲、壁側とは反対側のコンロに対して強火力範囲が設定されていることを確認する。
【００４９】
ＣＰＵ７１は、操作ボタン１１が再押下されることによる右コンロ４の消火操作が有ったか否か判断する（Ｓ４４）。操作ボタン１１が再押下されるまで（Ｓ４４：ＮＯ）、ＣＰＵ７１はＳ４４に戻り、引き続き燃焼制御を継続する。操作ボタン１１が再押下された場合（Ｓ４４：ＹＥＳ）、ＣＰＵ７１は、右コンロ４のガス供給管に設けた安全弁（図示略）、ガス量調節装置３０の弁機構部３６の弁を閉じ、右コンロ４を消火する。ＣＰＵ７１は本処理を終了する。
【００５０】
以上説明したように、第一実施形態のガスコンロ１は、天板３上に、右コンロ４と左コンロ５を備える。右コンロ４と左コンロ５は互いに同一仕様である。右コンロ４のガス量調節装置３０は、右コンロ４へのガスの供給量を調節することによって、右コンロ４の火力を調節する。左コンロ５のガス量調節装置３０は、左コンロ５へのガスの供給量を調節することによって、左コンロ５の火力を調節する。ガスコンロ１において、右コンロ４と左コンロ５によるガスの合計最大出力は予め決められている。ガスコンロ１の筐体２内には、右センサ７７Ａと左センサ７７Ｂが設けられる。右センサ７７Ａは、ガスコンロ１の右側の所定距離の範囲内における障害物（壁）を検出する。左センサ７７Ｂは、ガスコンロ１の左側の所定距離の範囲内における障害物（壁）を検出する。ガスコンロ１のＣＰＵ７１は、右センサ７７Ａ及び左センサ７７Ｂからの信号に基づき、右コンロ４及び左コンロ５のうち、キッチンの壁側に近い方のコンロを特定する。
【００５１】
ガスコンロ１のＣＰＵ７１は、右コンロ４及び左コンロ５の夫々のガス量調節装置３０による火力調節可能範囲において、キッチンの壁側に近い方のコンロに対して、弱火力範囲を設定し、壁側とは反対側のコンロに対して強火力範囲を設定する。ここで、強火力範囲と弱火力範囲の夫々の最大出力の合計は、右コンロ４と左コンロ５によるガスの合計最大出力に設定されている。これにより、ガスコンロ１の能力を落とすことなく、壁側のコンロの能力を低く設定できるので、加熱され易い壁側への配慮が出来る。また、ガスコンロ１を設置する場所に応じて壁がガスコンロ１の左右のどちらに来るか分からなくても、右センサ７７Ａ及び左センサ７７Ｂによる検出結果に応じて、右コンロ４及び左コンロ５の何れか一方に弱火力範囲を設定できるので、１種類のガスコンロ１で壁側のバーナの能力を低くできる。これにより、ガスコンロ１の種類を増やす必要が無いので、出荷するガスコンロ１の管理が容易となる上、設置場所を選ぶ必要も無いので使い勝手の良いガスコンロ１を提供できる。
【００５２】
また、上記実施形態では、ガス量調節装置３０による火力調節可能範囲は、１〜６の６段階に振り分けている。これにより、火力が弱い方の段階を含む１〜５の範囲を弱火力範囲、火力が強い方の段階を含む２〜６の範囲を強火力範囲に容易に設定できる。
【００５３】
また、上記実施形態では、右コンロ４の火力の操作を受け付ける操作ボタン１１と、左コンロ５の火力の操作を受け付ける操作ボタン１３を備える。右コンロ４及び左コンロ５の夫々のガス量調節装置３０は、操作ボタン１１，１３の操作に応じて駆動するモータ３７を備える。ガス量調節装置３０はモータ３７の駆動によって、対応する右コンロ４又は左コンロ５へのガスの供給量を調節する。それ故、ガス量調節装置３０は、操作ボタン１１，１３の夫々の操作に精度良く連動させることができる。
【００５４】
上記説明において、右コンロ４が本発明の「第一バーナ」の一例であり、左コンロ５が本発明の「第二バーナ」の一例である。右センサ７７Ａが本発明の「第一センサ」の一例であり、左センサ７７Ｂが本発明の「第二センサ」の一例である。右コンロ４のガス量調節装置３０が本発明の「第一火力調節部」の一例であり、左コンロ５のガス量調節装置３０が本発明の「第二火力調節部」の一例である。火力調節可能範囲のうち、強火力範囲が本発明の「第一範囲」の一例であり、弱火力範囲が本発明の「第二範囲」の一例である。操作ボタン１１は本発明の「第一火力操作部」の一例であり、操作ボタン１３は本発明の「第二火力操作部」の一例である。ガス量調節装置３０のモータ３７は本発明の「モータ」の一例である。図５に示すコンロ火力設定処理を実行するＣＰＵ７１が本発明の「設定部」の一例である。図６に示す壁検出処理を実行するＣＰＵ７１が本発明の「特定部」の一例である。
【００５５】
−第二実施形態−
図９，図１０を参照し、第二実施形態を説明する。上記の通り、第一実施形態のガスコンロ１は、右センサ７７Ａ及び左センサ７７Ｂを用いて、ガスコンロ１の設置場所における壁を検出し、壁側のコンロに対して弱火力範囲、壁側とは反対側のコンロに対して強火力範囲を設定する。これに対し、第二実施形態のガスコンロ１００は、右コンロ４に対して強火力範囲、左コンロ５に対して弱火力範囲を設定した状態をデフォルトとし、それら強火力範囲と弱火力範囲を手動で切り替え可能な左側強火力スイッチ９５を備えている点で、第一実施形態と異なる。
【００５６】
図９に示すように、ガスコンロ１００は、第一実施形態の右センサ７７Ａ、左センサ７７Ｂ、及びセンサ入力回路８７の代わりに、スイッチ入力回路９０、センサ９１、左側強火力スイッチ９５、及び確認ボタン９６を備える。なお、左側強火力スイッチ９５及び確認ボタン９６は、主に設置業者が使用するものであるから、設置状態のガスコンロ１において使用者からでは視認できない場所に設けるのがよい。スイッチ入力回路９０は、左側強火力スイッチ９５のオン信号を制御回路７０に入力する。センサ９１は、確認ボタン９６の押下を検出し、制御回路７０に検出信号を入力する。左側強火力スイッチ９５は例えばディップスイッチ等を適用できる。
【００５７】
図１０を参照し、コンロ火力設定処理について説明する。設置業者がキッチンのカウンタトップにガスコンロ１を設置し、電源ボタン２５を押下すると、ＣＰＵ７１はＲＯＭ７２からコンロ火力設定プログラムを読出し、本処理を実行する。なお、不揮発性メモリ７４には、初期状態のコンロ火力設定情報が予め記憶される。初期状態のコンロ火力設定情報は、右コンロ４に対して強火力範囲、左コンロ５に対して弱火力範囲とする情報である。また、不揮発性メモリ７４には第一実施形態と同様の制限フラグが記憶され、初期状態として１が設定される。
【００５８】
設置業者は、ガスコンロ１をカウンタトップに設置したとき、キッチンの壁がガスコンロ１の右側に位置するか左側に位置するかを確認する。ガスコンロ１の左側の所定距離内に壁が位置する場合、左コンロ５に対して弱火力範囲、右コンロ４に対して強火力範囲にすればよいので、設置業者は、左側強火力スイッチ９５をオンしない。一方、ガスコンロ１の右側の所定距離内に壁が位置する場合、右コンロ４に対して弱火力範囲、左コンロ５に対して強火力範囲にすればよいので、設置業者は、左側強火力スイッチ９５をオンすればよい。
【００５９】
ＣＰＵ７１は、左側強火力スイッチ９５はオンか否か判断する（Ｓ５２）。左側強火力スイッチ９５がオフの場合（Ｓ５２：ＮＯ）コンロ火力設定情報は初期状態のままでよいので、ＣＰＵ７１は確認ボタン９６が押下されたか否か判断する（Ｓ５４）。一方、左側強火力スイッチ９５がオンされた場合（Ｓ５２：ＹＥＳ）、ＣＰＵ７１は、右コンロ４に対して弱火力範囲、左コンロ５に対して強火力範囲を設定し（Ｓ５３）、不揮発性メモリ７４に記憶されたコンロ火力設定情報を書き換える。
【００６０】
設置業者は、右コンロ４及び左コンロ５の夫々の火力調節範囲の設定を完了した場合、設定した火力調節範囲を確定させる為、ＣＰＵ７１は確認ボタン９６を押下する。確認ボタン９６が押下されるまで（Ｓ５４：ＮＯ）、ＣＰＵ７１はＳ５２に戻って待機する。確認ボタン９６が押下されなければ、制限フラグは１のままであるので、図８に示す点火制御処理において、仮に操作ボタン１１を押下して右コンロ４の点火を試みても、右コンロ４は点火されない。確認ボタン９６が押下された場合（Ｓ５４：ＹＥＳ）、ＣＰＵ７１は不揮発性メモリ７４に記憶する制限フラグを０に設定する（Ｓ５５）。これにより、図８に示す点火制御処理において、仮に操作ボタン１１を押下して右コンロ４の点火を試みた場合、右コンロ４は正常に点火される。よって、ガスコンロ１の設置場所に適した火力調節範囲で、右コンロ４及び左コンロ５を使用できるので、安全性の高いガスコンロ１を提供でき、第一実施形態と同様の効果を得ることができる。ＣＰＵ７１は本処理を終了する。なお、第二実施形態のガスコンロ１００のＣＰＵ７１は、第一実施形態と同様に、図８に示す点火制御処理を実行する。
【００６１】
以上説明したように、第二実施形態のガスコンロ１００は、右コンロ４に対して強火力範囲、左コンロ５に対して弱火力範囲を設定した状態をデフォルトとし、強火力範囲と弱火力範囲を手動で切り替え可能な左側強火力スイッチ９５を備える。これにより、ガスコンロ１００も第一実施形態と同様に、設置する設置場所に応じて、壁側に近いバーナの火力調節範囲を弱火力範囲に設定できる。また、ガスコンロ１００は、右コンロ４及び左コンロ５の夫々の火力調節範囲の設定が完了した場合に、その設定を確定させる為の確認ボタン９６を備える。これにより、設置業者がガスコンロ１００を設置した際に、仮に火力調節範囲の設定を忘れてしまった場合、ガスコンロ１００は、右コンロ４及び左コンロ５への夫々の点火を制限するので、安全性の高いガスコンロ１００を提供できる。また、このような制限をすることで、設置業者は、右コンロ４及び左コンロ５の点火確認の際に、火力調節範囲の設定が完了していないことが分かるので、火力調節範囲の設定を完了させることができる。
【００６２】
なお、本発明は上記第一，第二実施形態に限定されるものではなく、種々の変更が可能である。上記実施形態のガスコンロ１，１００はビルトインコンロであるが、テーブルコンロであってもよい。グリルは省略してもよい。天板３には、右コンロ４と左コンロ５が設けられているが、その間に奥コンロを設けてもよい。
【００６３】
第一実施形態の右センサ７７Ａ及び左センサ７７Ｂは光センサであるが、その他のセンサでもよい。例えば、接触方式のセンサを用いて、コンロの設置場所の壁を検出してもよい。
【００６４】
第一実施形態のガスコンロ１は、筐体２の左右両側に、右センサ７７Ａ及び左センサ７７Ｂを備えているが、何れか一方を省略してもよい。例えば、右センサ７７Ａのみを筐体２の右側に取り付け、右コンロ４に対して強火力範囲、左コンロ５に対して弱火力範囲を設定した状態をデフォルトとするとよい。右センサ７７Ａが筐体２の右側の所定距離内に壁を検出しなければ、火力調節範囲はデフォルトのままとすればよい。右センサ７７Ａが筐体２の右側の所定距離内に壁を検出した場合、ＣＰＵ７１は右コンロ４に対して弱火力範囲、左コンロ５に対して強火力範囲を設定すればよい。
【００６５】
図８に示す点火制御処理において、仮に操作ボタン１１が押下され、制限フラグが１の場合（Ｓ４１：ＮＯ）、右コンロ４の点火を制限するが、例えば、バーナ火力を弱火力に制限するようにしてもよい。また、右コンロ４及び左コンロ５の火力調節範囲を何れも弱火力範囲に強制的に設定し、バーナ火力を制限するようにしてもよい。
【００６６】
第二実施形態のガスコンロ１００は、右コンロ４に対して強火力範囲、左コンロ５に対して弱火力範囲を設定した状態をデフォルトとし、左側強火力スイッチ９５で火力調節範囲を切替え可能とするが、例えば、右コンロ４に対して弱火力範囲、左コンロ５に対して強火力範囲を設定した状態をデフォルトとし、右側強火力スイッチで火力調節範囲を切替え可能としてもよい。
【００６７】
上記説明において、左側強火力スイッチ９５が本発明の「スイッチ」の一例である。図１０に示すコンロ火力設定処理を実行するＣＰＵ７１が本発明の「設定部」の一例である。図１０のＳ５２の処理を実行するＣＰＵ７１が本発明の「特定部」の一例である。
【符号の説明】
【００６８】
１，１００      ガスコンロ
４      右コンロ
５      左コンロ
１１，１３    操作ボタン
１９      センサ
３０      ガス量調節装置
３７      モータ
７１      ＣＰＵ
７７Ａ    右センサ
７７Ｂ    左センサ
９５      左側強火力スイッチ
９６      確認ボタン
【図１】
2019200009.tif 000003
【図２】
2019200009.tif 000004
【図３】
2019200009.tif 000005
【図４】
2019200009.tif 000006
【図５】
2019200009.tif 000007
【図６】
2019200009.tif 000008
【図７】
2019200009.tif 000009
【図８】
2019200009.tif 000010
【図９】
2019200009.tif 000011
【図１０】
2019200009.tif 000012